(57)【特許請求の範囲】
【請求項１】
制御信号及び表示データを受け、液晶表示パネルに駆動電圧を供給する表示ドライバＩＣであって、
表示駆動電圧発生部、タイミング回路部を含む複数の要素部と、前記複数の各要素部の規定値からのばらつき及び前記液晶表示パネルの規定値からのばらつきをそれぞれ補正する為の補正データを記憶する書き替え可能な不揮発性メモリからなる初期設定テーブルを有し、
前記複数の各要素部及び液晶表示パネルのばらつきを打ち消すために、前記制御信号を受けて前記初期設定テーブルから前記補正データを補正済み制御信号として読み出し、前記各要素部に供給するように構成されていることを特徴とする表示ドライバＩＣ。
【発明の詳細な説明】
【０００１】
【発明の属する技術分野】
本発明は、液晶表示装置を指令信号に応じて駆動する表示ドライバＩＣに関する。
【０００２】
【従来の技術】
液晶表示装置は、液晶表示パネル部とこれを駆動する表示ドライバ部とＣＰＵなどの制御部とから構成されている。
【０００３】
従来一般に携帯電話機などのセットは、表示パネル部と、この表示パネル部を駆動する表示ドライバ部と、これらを制御する制御部から構成されることが多い。
【０００４】
例えば図２は、ＬＣＤ（液晶）表示パネルを使用した携帯電話機の構成図を示す図であり、ＬＣＤ表示パネル２２を載置した表示パネル部２１と、表示ドライバＩＣ２４を載置した表示ドライバＩＣ部２３とで表示モジュールが形成される。そして、ＣＰＵ２６，フラッシュメモリ２７，周辺部品２８、接続部２９などが載置されたセット基板２５が表示モジュールと接続部２９で結合され、携帯電話機セットとして構成される。
【０００５】
この表示ドライバＩＣ２４は表示データを格納するＲＡＭを有し、ＣＰＵ２６からの制御駆動信号を受けて、ＬＣＤ表示パネル２２を表示するべく、駆動制御信号を供給する。
【０００６】
表示ドライバＩＣ２４はＬＣＤ表示パネル２２を駆動する電圧を電圧値のばらつきなく安定して供給する必要があり、このため表示ドライバＩＣ２４の特性を測定して選別し、ばらつき許容範囲内に入った表示ドライバＩＣ２４のみを使用するように選別するとか、ばらつき許容範囲内に入っていない表示ドライバＩＣ２４についてはトリミング処理をしてばらつき許容範囲内に調整するとかの作業を行っていた。
【０００７】
また、表示ドライバＩＣ２４の実装位置によってはセグメント出力やコモン出力のデータ転送方向を逆転させる必要があったり、さらには、表示ドライバＩＣ２４としてのばらつきを抑えた場合でもＬＣＤ表示パネル２２個々のばらつきが存在するから、さらに重ねて駆動電圧の調整を行うことが必要となる。
【０００８】
これらを解決するために、ＣＰＵ２６，フラッシュメモリ２７等をも用いてソフトウエア処理を行う方法があるが、ソフトウエアが複雑になる。また、シリーズ機種としていくつかの異なる設定チップを別々に作成するとか、或いはそれぞれの設定を独立して調整できるように複数の端子を出すことも考えられるが、ＩＣ供給側として効率が悪く、また端子数が多くなり実装コストが高くなるとともに、ピンピッチが狭くなり実装で苦しくなる。
【０００９】
いずれにしても、表示ドライバＩＣ２４の問題以外にＬＣＤ表示パネル２２のパネル個々のばらつきによる表示コントラスト差などを吸収するにはパネル毎にソフトウエア設定を変えて調整をするといった方法を採ることになる。
【００１０】
これは、ＬＣＤ表示パネル２２が載置された表示パネル部２１，表示ドライバＩＣ２４が載置された表示ドライバＩＣ部２３及びＣＰＵ２６，フラッシュメモリ２７などが載置されたセット基板２５を一式整えた状態で、表示ドライバＩＣ２４，ＬＣＤ表示パネル２２の多くの個々のばらつきに対して１つ１つ、ＣＰＵ２６，フラッシュメモリ２７の作用によりばらつきを吸収するように設定していくことになる。ひとつの例を具体的に示すと、例えば、ＬＣＤ表示パネル２２の画面の濃度が適当でない場合に、最終ユーザーにて任意の濃度に調整を行い、この時の設定値を読み出し、セット基板２５上にあるフラッシュメモリ２７等のメモリに記録せざるを得ない。
【００１１】
そして、設定された値の反映も、電源が投入されたときにその都度、フラッシュメモリ２７等のメモリからこの設定値を読み出し、ＣＰＵ２６より表示ドライバＩＣ２４に命令を送りＬＣＤ表示パネル２２の画面の濃さを初期化するという手数を必要とする。
【００１２】
【発明が解決しようとする課題】
従来の表示ドライバＩＣ及びこれを使用するＬＣＤ表示セットでは、上述のように、表示ドライバＩＣ２４の特性を測定して選別、トリミング処理を行うとか、シリーズ機種としていくつかの異なる設定チップを別々に作成、或いはそれぞれの設定を独立して調整できるように複数の端子を出すとかの処理は、ＩＣ供給側として効率が悪く、また端子数が多くなりピンピッチが狭くなり実装で苦しくなる。
【００１３】
また、表示ドライバＩＣ２４の問題以外にＬＣＤ表示パネル２２のパネル個々のばらつきによる表示コントラスト差などを吸収するにはパネル毎にソフトウエア設定を変えて調整をするといった方法を採ることになる。しかし、このソフトウエア設定は負担も多く、セットメーカでの調整となってしまい、これは通常受け入れられない。
【００１４】
そこで、本発明は、表示ドライバＩＣ自体のばらつき及び液晶表示パネルのばらつきをも含めて吸収できる表示ドライバを形成し、ＩＣ供給者側でも表示パネル供給者側でも、すなわち表示モジュール段階までで初期状態を任意に設定できるようにして、最終セットメーカでの調整をゼロ化することができる表示ドライバＩＣを提供することを目的とする。
【００１５】
【課題を解決するための手段】
請求項１の表示ドライバＩＣは、制御信号及び表示データを受け、液晶表示パネルに駆動電圧を供給する表示ドライバＩＣであって、
表示駆動電圧発生部、タイミング回路部を含む複数の要素部と、前記複数の各要素部の規定値からのばらつき及び前記液晶表示パネルの規定値からのばらつきをそれぞれ補正する為の補正データを記憶する書き替え可能な不揮発性メモリからなる初期設定テーブルを有し、
前記複数の各要素部及び液晶表示パネルのばらつきを打ち消すために、前記制御信号を受けて前記初期設定テーブルから前記補正データを補正済み制御信号として読み出し、前記各要素部に供給するように構成されていることを特徴とする。
【００１６】
本発明に依れば、表示ドライバＩＣに補正データを記憶する書き替え可能な不揮発性メモリからなる初期設定テーブルを設け、所定の規定値を持つ各要素部の規定値からのばらつき、及び液晶表示パネル（以下、表示パネル、という）の規定値からのばらつきを測定値に基づいてそれぞれ補正する。
【００１７】
このため、各要素部の動作特性にばらつきのある表示ドライバＩＣは勿論のこと、表示ドライバＩＣにより駆動される表示パネルも多少のばらつきがあったとしてもこのばらつきは補償されるから、そのまま利用できるようになる。したがって、表示ドライバＩＣ、表示パネルとも製品歩留まり率を高くすることができる。
【００１８】
また、表示パネルや表示ドライバＩＣ中の各要素部のばらつきを、他のＣＰＵなどの制御部に無関係とし、ソフトウエアの負担をなくすことができる。また、表示ドライバＩＣ、表示パネルのばらつきに対してソフトウエアで対処する必要がなくなるから、セットメーカでの組立時の負担が少なくなるとともに、ソフトウエアの機能を本来の表示装置の機能の拡充に当てることができる。
【００１９】
【発明の実施の形態】
以下、本発明の実施例について、図１を参照して説明する。
【００２０】
図１は、本発明の実施例に係る液晶表示ドライバＩＣの構成を示す図である。図１において、表示ドライバＩＣ２４に外部制御部のＣＰＵなどからの制御駆動信号が供給されると、初期設定テーブル１１及び入出力インターフェース１２に入力される。
【００２１】
初期設定テーブル１１は、ＥＥＰＲＯＭ（Electrically Erasable and Programmable ＲＯＭ）等の不揮発性メモリで構成される。この初期設定テーブル１１からは入力制御信号がテーブルの設定に応じて変換されて、入出力インターフェース１２，発振回路部１３，液晶駆動電圧発生回路１４、タイミング制御回路１５、セグメント電極駆動信号出力回路１６及びコモンタイミング制御回路１７等の各要素部（以下、要素部品、と称することがある）に供給される。
【００２２】
入出力インターフェース１２は、外部のセット基板２５のＣＰＵ２６などとインターフェースするものであり、そこでインターフェースされた入力制御信号が液晶駆動電圧発生回路１４，及びタイミング制御回路１５に供給される。発振回路部１３はクロック信号を各要素に供給する。タイミング制御回路１５からの指令に基づいて表示データが１ライン分づつ表示データＲＡＭ１９に順次入力されていく。
【００２３】
そして、表示データＲＡＭ１９からの表示データの読み出し時には、タイミング制御回路１５からの指令に基づいて表示データが１ライン分づつ表示データＲＡＭ１９から順次出力されセグメント電極駆動信号出力回路１６からセグメント出力として出力されていくとともに、コモンタイミング制御回路１７から行の更新に対応して順次コモン出力がコモン電極駆動信号出力回路１８から出力される。これにより、ＬＣＤ表示パネル２２に所定の映像が表示されることになる。
【００２４】
さて、この発明では、ＬＣＤ表示パネル２２や表示ドライバＩＣ２４中の各要素（入出力インターフェース１２〜コモンタイミング制御回路１７）のばらつきを他のＣＰＵ２６などの制御部に無関係とし、ソフトウエアの負担をなくすために、前記初期設定テーブル１１を設けている。
【００２５】
そして、表示ドライバＩＣ２４を構成する要素部品である入出力インターフェース１２，発振回路部１３，液晶駆動電圧発生回路１４、タイミング制御回路１５、セグメント電極駆動信号出力回路１６及びコモンタイミング制御回路１７の特性を測定しそれぞれ規定値からのばらつきを把握する。また、表示ドライバＩＣ２４からの制御駆動信号により表示駆動されるＬＣＤ表示パネル２２についても同様に特性を測定しそれぞれ規定値からのばらつきを把握する。
【００２６】
このばらつきの把握に基づいて初期設定テーブル１１には、これらの各要素部品（入出力インターフェース１２，発振回路部１３，液晶駆動電圧発生回路１４、タイミング制御回路１５、セグメント電極駆動信号出力回路１６、コモンタイミング制御回路１７）の規定値からのばらつき及びＬＣＤ表示パネル２２の規定値からのばらつきに対して、それぞれ補正するためのデータがテーブルとして設定されている。
【００２７】
また、初期設定テーブル１１には、表示ドライバＩＣ２４の実装位置により定まる、セグメント電極駆動信号出力回路１６やコモン電極駆動信号出力回路１８のデータ転送方向なども設定されている。
【００２８】
このように初期設定テーブル１１には、一度設定すると通常は変更する必要のない仕様のデータが設定される。例示すると次のような項目が挙げられる。
・液晶駆動電圧安定化出力電圧レベル
・液晶駆動電圧バイアス電圧レベル
・液晶駆動電圧の温度係数値
・クロック信号の発振周波数
・インターフェース仕様（シリアル／パラレルなど）
・セグメント電極駆動信号転送方向
・コモン電極駆動信号転送方向  など
【００２９】
これにより、制御駆動信号が外部のＣＰＵ２６から供給されたとき、初期設定テーブル１１において各要素部品（入出力インターフェース１２，発振回路部１３，液晶駆動電圧発生回路１４、タイミング制御回路１５、セグメント電極駆動信号出力回路１６、コモンタイミング制御回路１７）の規定値からのばらつき、及びＬＣＤ表示パネル２２の規定値からのばらつきは吸収され、自動的に規定値の外部制御信号に対して各要素部品及び表示パネルのばらつきを打ち消す値とされた制御信号を、前記各要素部品（入出力インターフェース１２，発振回路部１３，液晶駆動電圧発生回路１４、タイミング制御回路１５、セグメント電極駆動信号出力回路１６、コモンタイミング制御回路１７）に供給することができる。
【００３０】
したがって、本発明実施例によれば、表示ドライバＩＣ２４の各構成部品に多少のばらつきがあったとしても初期設定テーブル１１での補正量設定によりカバーすることができるから、トリミングなどの手間を省くことができ、歩留まり率を向上することができる。これはＬＣＤ表示パネル２２にも同様のことが言える。
【００３１】
そして、ＣＰＵ２６，フラッシュメモリ２７などのセット基板２５側で従来のように各要素部品やＬＣＤ表示パネル２２のばらつきに伴うソフトウエアの負担がなくなり、その分本来のソフトウエア処理を充実させることができる。
【００３２】
また、表示ドライバＩＣ２４の各構成部品及びＬＣＤ表示パネル２２のばらつきは、従来では前述のようにフラッシュメモリ２７などに記憶させていた補正値をＣＰＵ２６の動作によりソフトウエア上で処理していたが、これでは電源が投入された都度この設定値を読み出し、ＣＰＵ２６より表示ドライバＩＣ２４に命令を送り表示ドライバＩＣ２４の各構成部品の値、ＬＣＤ表示パネル２２の画面の濃さを初期化するという手数を必要とする。しかし、本発明実施例では、初期設定テーブル１１に一旦セットした後は何らの負担もなく、セットメーカ、或いは最終ユーザーは表示ドライバＩＣ２４の各構成部品及びＬＣＤ表示パネル２２のばらつきを意識することなく、本件発明を適用した表示装置を取り扱うことができるし、これにより初期化に要する時間を短縮することができる。
【００３３】
なお、本実施例によるとフラッシュメモリ２７はばらつき補正には不要であるが、ユーザーなどの好みに合わせて各種項目の設定値を調整するために使用することができる。
【００３５】
【発明の効果】
本発明に依れば、表示ドライバＩＣに補正データを記憶する書き替え可能な不揮発性メモリからなる初期設定テーブルを設け、各要素部の規定値からのばらつき、及び表示パネルの規定値からのばらつきを測定値に基づいてそれぞれ補正する。
【００３６】
このため、各要素部の動作特性にばらつきのある表示ドライバＩＣは勿論のこと、表示ドライバＩＣにより駆動される表示パネルも多少のばらつきがあったとしてもこのばらつきは補償されるから、そのまま利用できるようになる。したがって、表示ドライバＩＣ、表示パネルとも製品歩留まり率を高くすることができる。
【００３７】
また、表示パネルや表示ドライバＩＣ中の各要素部のばらつきを、他のＣＰＵなどの制御部に無関係とし、ソフトウエアの負担をなくすことができる。また、表示ドライバＩＣ、表示パネルのばらつきに対してソフトウエアで対処する必要がなくなるから、セットメーカでの組立時の負担が少なくなるとともに、ソフトウエアの機能を本来の表示装置の機能の拡充に当てることができる。
【図面の簡単な説明】
【図１】本発明の実施例に係る表示ドライバＩＣの構成図。
【図２】本発明の適用される表示装置の構成図。
【符号の説明】
１１  初期設定テーブル
１２  入出力インターフェース
１３  発振回路部
１４  液晶駆動電圧発生回路
１５  タイミング制御回路
１６  セグメント電極駆動信号出力回路
１７  コモンタイミング制御回路
１８  コモン電極駆動信号出力回路
１９  表示データＲＡＭ
２１  表示パネル部
２２  ＬＣＤ表示パネル
２３  表示ドライバＩＣ部
２４  表示ドライバＩＣ
２５  セット基板
２６  ＣＰＵ
２７  フラッシュメモリ
２８  周辺部品
２９  接続部
【図１】
0003954255.tif 000002
【図２】
0003954255.tif 000003